(57)【要約】      （修正有）【課題】足の裏の微かな処に、強弱の変化のある刺激を加える方法を提供する。【解決手段】電気マッサージ器に於いて、モーター７の円運動が、垂直運動に変わった運動体の端１２で、皮膚を叩く構造になっている電気マッサージ器に於いて、足の裏を垂直運動体３の端１２で叩くのに、足の重みの相当な部分を安定さす為に、垂直運動体３の近くに、垂直運動体からの距離が、０〜４０ｍｍ離れた処に、肉体もたれ板４を設置する電気マッサージ器の製造方法とする。【選択図】図１
2009254772.tif 000002
【特許請求の範囲】
【請求項１】
電気マッサージ器に於いて、モーターの円運動が、垂直運動に変わった運動体の端で、皮膚を叩く構造になっている電気マッサージ器の製造方法。
【請求項２】
電気マッサージ器に於いて、モーターの円運動が、垂直運動に変わった運動体の端で、皮膚を叩く構造になっている電気マッサージ器の製造方法に於いて、足の裏を垂直運動体の端で叩くのに、足の重みの相当な部分を安定さす為に、垂直運動体の近くに、垂直運動体からの距離が、０〜４０ｍｍ離れた処に、肉体もたれ板を設置する電気マッサージ器の製造方法。
【発明の詳細な説明】
【技術分野】
【０００１】  この発明は、健康を増進する為の器具の製造方法に関する。
【背景技術】
【０００２】  人力で、人の足指を摘まみ、回転運動を与えて、足に刺激を与えたり、鎚や手で、足裏を叩いて、足に刺激を与えていた。
【発明の開示】
【発明が解決する課題】
【０００３】  電力を使って、足裏の極く小さな面積に、大小の変化のある刺激を与える方法を見つけねばならなかった。
【課題を解決する為の手段】
【０００４】  モーター軸に対して、垂直の往復をする運動体の端で、足裏を叩く事にした。
【発明の効果】
【０００５】  今迄想像もした事のない良い感じを味わえる。
【０００６】  長時間使用するのに、嫌な感じが起こらない。
【０００７】  良い感じを追う以外の事は忘れて、長時間精神統一が出来る。
【０００８】  強壮剤に全然反応しない人が、毎朝効果が現はれる。
【０００９】  僅かでも、運動して疲労している時は、良い感じの度合いがハッキリと分かる。
【００１０】  通じが良くなる。
【００１１】  食欲が出る。
【００１２】  歩くと、足裏の前部が暖かく感ぜられる。
【発明を実施する為の最良の形態】
【００１３】  実施例について図面を参照して説明すると、図１は、マッサージ器を横から見た図で、１２は垂直運動部の端であり、４のもたれ部に足裏をもたして１２で叩くのである。９のソケットより入った交流は、１３の整流器で直流になり、７のモーターを動かし、回転運動は６の垂直運動変換部で垂直運動に変り、３の垂直運動体を動かしている。１０はモーター部の外覆であり、１１は全体の外覆である。モーターは、電源交流１００Ｖで５５０Ｗの物を使用し、その時の垂直運動は、毎分３０００回転であるが、電源２５Ｖの交流を使用し、消費電力３０Ｗ、＋１５Ｖ〜−５Ｖの電力を使用し、２０Ｖ時の回転数は毎分３００回転になる。
【図面の簡単な説明】
【図１】  足裏電気マッサージ器を、横から見た図である。
【図２】  足裏電気マッサージ器を、正面から見た図である。
【符号の説明】
１  端が体に触れる垂直運動体
２  垂直運動部のモーター部外覆の内部と外部を連結するボートー
３  垂直運動部のモーター部外覆の内と外をかねる部分
４  足もたれ部
５  足もたれ部のモーター部外覆との連結ボートー
６  モーターの円運動を垂直運動に変える部品部
７  モーター
８  コード
９  ソケット
１０  モーター及び関連部の外覆
１１  本体全部の外覆
１２  垂直運動体の人体に触れる端
１３  交流を直流にする整流器
【図１】
2009254772.tif 000003
【図２】
2009254772.tif 000004
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
電気マッサージ器に於いて、モーターの円運動が、垂直運動に変わった運動体の端で、皮膚を叩く構造になっている電気マッサージ器。
【請求項２】
電気マッサージ器に於いて、モーターの円運動が、垂直運動に変わった運動体の端で、皮膚を叩く構造になっている電気マッサージ器に於いて、足裏を垂直運動体の端で叩くのに足の重みの相当な部分を安定さす為に、垂直運動体の近くに、垂直運動体からの距離が、０〜４ｃｍ離れた処に、肉体もたれ板を設置する電気マッサージ器。
【請求項３】
電気マッサージ器に於いて、モーターの円運動が、垂直運動に変わった運動体の端で、皮膚を叩く構造になっている電気マッサージ器に於いて、交流電源に直列                         にダイオードを接続し、ダイオードの前後を短絡線で短絡し、コンデンサーを電源に対し                                                                       
並列に接続した事を特徴とする請求項１および請求項２の電源装置。
【手続補正２】
【補正対象書類名】明細書
【補正対象項目名】全文
【補正方法】変更
【補正の内容】
【発明の詳細な説明】
【技術分野】
【０００１】
この発明は、健康を増進する為の器具に関する。
【背景技術】
【０００２】
人力で、人の足指を摘み、回転運動を与えて、足に刺激を与えたり、鎚や手で、足裏を叩いて、足に刺激を与えていた。
【特許文献１】特開平０６−３１２００７
【発明の開示】
【発明が解決しようとする課題】
【０００３】
電力を使って、足裏の極く小さな面積に、大小の変化のある刺激を与える方法を見付けねばならなかった。
【課題を解決するための手段】
【０００４】
モーター軸に対して、垂直の往復をする運動体の端で、足裏を叩く事にした。
【発明の効果】
【０００５】
今迄想像もした事のない良い感じを味わえる。
【０００６】
長時間使用するのに、嫌な感じが起こらない。
【０００７】
良い感じを追う以外の事は忘れて、長時間精神統一が出来る。
【０００８】
強壮剤に全然反応しない人が、毎朝効果が現れる。  
【０００９】
僅かでも、運動して疲労している時は、良い感じの度合いがハッキリと分かる。
【００１０】
通じが良くなる。
【００１１】
食欲が出る。
【００１２】
歩くと、足裏の前部が暖かく感じられる。
【発明を実施するための最良の形態】
【００１３】
実施例について図面を参照して説明すると、図１は、マッサージ器を横から見た図で、12は垂直運動部の端であり、４のもたれ部に足裏をもたして１２で叩くのである。９のソケットより入った交流は、１３の整流器で直流になり、7のモーターを動かし、回転運動は６の垂直運動変換部で垂直運動に変わり、３の垂直運動体を動かしている。１０はモーター部の外覆であり、１１は全体の外覆である。モーターは、電源交流１００Ｖで５５０Ｗの物を使用し、その時の垂直運動は、毎分３０００回転であるが、電源２５Ｖの交流を使用し、消費電力３０Ｗ、＋１５Ｖ〜−５Ｖの電力を使用し、２０Ｖ時の回転数は毎分３００回転になる。
【図面の簡単な説明】
【００１４】
【図１】足裏電気マッサージ器を、横から見た図である。
【図２】足裏電気マッサージ器を、正面から見た図である。
【図３】電源装置
【符号の説明】
【００１５】
１  端が体に触れる垂直運動体
２  垂直運動部のモーター部外覆の内部と外部を連結するボートー
３  垂直運動部のモーター部外覆の内と外をかねる部分
４  足もたれ部
５  足もたれ部のモーター部外覆との連結ボートー
６  モーターの円運動を垂直運動に変える部品部
７  モーター
８  コード
９  ソケット
１０  モーター及び関連部の外覆
１１  本体全部の外覆
１２  垂直運動体の人体に触れる端
１３  交流を直流にする整流器
１４  コンセント（凸側）
１５  ダイオード
１６  コンデンサー
１７  コンセント（凹側）
１８  短絡線
【手続補正３】
【補正対象書類名】図面
【補正対象項目名】図３
【補正方法】追加
【補正の内容】
【図３】
2009254772.tif 000005